(57)【要約】【課題】中間ダクトの装着位置に関わらず、良好なエアカーテンを形成すること。【解決手段】上下に延在する背面板１２ａの前方側に商品載置棚２０が上下方向に沿って複数段設けられた収納室１４と、収納室１４と通風路１５との間で空気を循環させる送風ファン１８と、背面板１２ａを貫通する態様で任意の商品載置棚２０の下方に装着されることにより、通風路１５を遮断しつつ収納室１４を上下に区画し、通風路１５を通過する空気を導入口３３より導入して前端部に設けられた中間吹出口３４ａより吹き出す中間ダクト３０を備え、中間ダクト３０は、中間吹出口３４ａを構成する吹出口部材３４が左右方向に沿って延在する軸部３５の軸心回りに前後方向に沿って揺動可能に設けられ、中間ダクト３０が装着される高さレベルが低くなるほど吹出口部材３４を前方に向けて揺動させる吹出角度調整手段（３６，４２）を備えている。【選択図】図３
2020151042.tif 000002
【特許請求の範囲】
【請求項１】
上下に延在する背面板の前方側に商品載置棚が上下方向に沿って複数段設けられた収納室と、
前記収納室の前方上部に開口する吹出口と前方下部に開口する吸込口とを通じて該収納室に連通する通風路と、該収納室との間で空気を循環させる送風ファンと、
前記背面板を貫通する態様で任意の商品載置棚の下方に装着されることにより、前記通風路を遮断しつつ前記収納室を上下に区画し、かつ前記通風路を通過する空気を後端部に設けられた導入口より導入して前端部に設けられた中間吹出口より吹き出す中間ダクトと
を備え、前記収納室における前記中間ダクトの下方域と上方域とを２つの異なる温度域にするショーケースであって、
前記中間ダクトは、前記中間吹出口を構成する吹出口部材が左右方向に沿って延在する軸部の軸心回りに前後方向に沿って揺動可能に設けられており、
前記中間ダクトが装着される高さレベルが低くなるほど、前記吹出口部材を前方に向けて揺動させる吹出角度調整手段を備えたことを特徴とするショーケース。
【請求項２】
前記吹出角度調整手段は、
前記吹出口部材に対して前端部分が摺接する態様で、前後方向に沿って変位可能に設けられた変位部と、
前記背面板における前記中間ダクトの挿入を許容する貫通孔のそれぞれの下方において、前方に向けて突出する態様で設けられ、かつ高さベルが低くなるほど前方への突出量が増大する複数の突出部と
を備え、
前記変位部の後端部分が前記突出部のいずれかに当接して前方に向けて変位することにより前記中間吹出口を揺動させることを特徴とする請求項１に記載のショーケース。
【請求項３】
前記通風路に配設され、かつ該通風路を通過する空気を冷却する蒸発器を備えたことを特徴とする請求項１又は請求項２に記載のショーケース。
【発明の詳細な説明】
【技術分野】
【０００１】
本発明は、ショーケースに関し、より詳細には、商品載置棚に載置された商品を所望の温度状態に保持するショーケースに関するものである。
【背景技術】
【０００２】
従来、商品載置棚に載置された商品を所望の温度状態に保持するショーケースとして、次のようなものが知られている。
【０００３】
例えば、ケース本体の収納室に複数の商品載置棚が上下方向に沿って並ぶよう設けられており、それぞれの商品載置棚に商品が載置されて陳列されている。また、ケース本体の内部であって収納室外となる個所には、収納室の前方下部に設けられた吸込口を通じて吸い込まれた空気が通過する通風路が形成されている。この通風路には、設置された送風ファンの駆動により通過する空気を冷却する蒸発器が設けられており、この蒸発器で冷却された空気が収納室の前方上部に設けられた吹出口より吹き出される。
【０００４】
ところで、収納室の背面を構成する背面板を貫通する態様で任意の商品載置棚の下部に中間ダクトが取り付けられた場合、通風路は中間ダクトにより遮断される。これにより、中間ダクトが取り付けられたショーケースでは、吸込口を通じて通風路に吸い込まれて空気が、蒸発器で冷却された後に中間ダクトの後端部に設けられた導入口より導入されて前端部に設けられた中間吹出口より吹き出されることにより、エアカーテンを形成している。
【０００５】
これにより、上記ショーケースでは、中間ダクトが取り付けられた場合、収納室が中間ダクトにより上下に区画されるとともに該中間ダクトを境界にしてその上方域を高温度域としつつ下方域を低温度域として異なる温度域を形成でき、結果的に、商品を異なる温度に保持することができる（例えば、特許文献１参照）。
【先行技術文献】
【特許文献】
【０００６】
【特許文献１】特許第４６３６５０５号公報
【発明の概要】
【発明が解決しようとする課題】
【０００７】
ところで、上記ショーケースでは、中間ダクトの中間吹出口の角度が一定に形成されていたために、次のような問題があった。
【０００８】
中間ダクトは、任意の商品載置棚の下部、すなわち収納室の任意の高さレベルに装着可能であり、高さレベルに応じて吸込口を臨む中間吹出口の角度が変化することになる。しかしながら、中間吹出口の角度が一定に形成されていたために、中間ダクトの装着位置によっては、中間吹出口から吹き出された空気が吸込口に到達せず、エアカーテンにバラツキが生ずることがあった。このようなエアカーテンのバラツキは、収納室への外気侵入量が変化による収納室の内部温度のバラツキの要因となり好ましくない。
【０００９】
本発明は、上記実情に鑑みて、中間ダクトの装着位置に関わらず、良好なエアカーテンを形成することができるショーケースを提供することを目的とする。
【課題を解決するための手段】
【００１０】
上記目的を達成するために、本発明に係るショーケースは、上下に延在する背面板の前方側に商品載置棚が上下方向に沿って複数段設けられた収納室と、前記収納室の前方上部に開口する吹出口と前方下部に開口する吸込口とを通じて該収納室に連通する通風路と、該収納室との間で空気を循環させる送風ファンと、前記背面板を貫通する態様で任意の商品載置棚の下方に装着されることにより、前記通風路を遮断しつつ前記収納室を上下に区画し、かつ前記通風路を通過する空気を後端部に設けられた導入口より導入して前端部に設けられた中間吹出口より吹き出す中間ダクトとを備え、前記収納室における前記中間ダクトの下方域と上方域とを２つの異なる温度域にするショーケースであって、前記中間ダクトは、前記中間吹出口を構成する吹出口部材が左右方向に沿って延在する軸部の軸心回りに前後方向に沿って揺動可能に設けられており、前記中間ダクトが装着される高さレベルが低くなるほど、前記吹出口部材を前方に向けて揺動させる吹出角度調整手段を備えたことを特徴とする。
【００１１】
また本発明は、上記ショーケースにおいて、前記吹出角度調整手段は、前記吹出口部材に対して前端部分が摺接する態様で、前後方向に沿って変位可能に設けられた変位部と、前記背面板における前記中間ダクトの挿入を許容する貫通孔のそれぞれの下方において、前方に向けて突出する態様で設けられ、かつ高さベルが低くなるほど前方への突出量が増大する複数の突出部とを備え、前記変位部の後端部分が前記突出部のいずれかに当接して前方に向けて変位することにより前記中間吹出口を揺動させることを特徴とする。
【００１２】
また本発明は、上記ショーケースにおいて、前記通風路に配設され、かつ該通風路を通過する空気を冷却する蒸発器を備えたことを特徴とする。
【発明の効果】
【００１３】
本発明によれば、中間ダクトは、中間吹出口を構成する吹出口部材が左右方向に沿って延在する軸部の軸心回りに前後方向に沿って揺動可能に設けられており、吹出角度調整手段が、中間ダクトが装着される高さレベルが低くなるほど、吹出口部材を前方に向けて揺動させるので、中間吹出口を前方に向けて揺動させることができ、中間吹出口から吸込口に向けて空気を吹き出させることができる。これにより、中間ダクトの装着位置に関わらず、良好なエアカーテンを形成することができるという効果を奏する。
【図面の簡単な説明】
【００１４】
【図１】図１は、本発明の実施の形態であるショーケースを模式的に示す断面側面図である。
【図２】図２は、図１に示した中間ダクトの構成を模式的に示す縦断面図である。
【図３】図３は、図２に示した中間ダクトが収納室に装着された状態を示す縦断面図である。
【図４】図４は、図２に示した中間ダクトが収納室に装着された状態を示す縦断面図である。
【発明を実施するための形態】
【００１５】
以下に添付図面を参照して、本発明に係るショーケースの好適な実施の形態について詳細に説明する。
【００１６】
図１は、本発明の実施の形態であるショーケースを模式的に示す断面側面図である。ここで例示するショーケースは、例えばスーパーマーケットやコンビニエンスストア等の店舗において商品を収容するものであり、ケース本体１０及び中間ダクト３０を備えて構成されている。
【００１７】
ケース本体１０は、底面部１１、後面部１２及び天面部１３を備え、これら底面部１１、後面部１２及び天面部１３によって囲まれる部分に前面及び左右両側面が開口した収納室１４が構成されている。またケース本体１０には、上記収納室１４と区画される態様で、通風路１５が設けられている。通風路１５は、底面部１１、後面部１２及び天面部１３の内部に形成されており、下側通風ダクト１５ａ、後側通風ダクト１５ｂ及び上側通風ダクト１５ｃを備えている。
【００１８】
下側通風ダクト１５ａは、底面部１１において、収納室１４の底面を構成する底面板１１ａよりも下方となる部分に構成されている。底面板１１ａの前端部分には、左右方向に沿って延在する吸込口１６が形成されている。つまり、吸込口１６は、収納室１４の前方下部に開口している。
【００１９】
後側通風ダクト１５ｂは、後面部１２において、収納室１４の背面を構成する背面板１２ａよりも後方となる部分に構成されている。この後側通風ダクト１５ｂは、下端部分が下側通風ダクト１５ａの後端部分と連通している。
【００２０】
上側通風ダクト１５ｃは、天面部１３において、収納室１４の天面を構成する天面板１３ａよりも上方となる部分に構成されている。この上側通風ダクト１５ｃは、後端部分が後側通風ダクト１５ｂの上端部分と連通している。天面板１３ａの前端部分には、左右方向に沿って延在する吹出口１７が形成されている。つまり、吹出口１７は、収納室１４の前方上部に開口している。
【００２１】
上記通風路１５の内部には、送風ファン１８や蒸発器１９が設置されている。送風ファン１８は、空気を循環させるものである。上記ショーケースにおいては、送風ファン１８が駆動することにより、吸込口１６を通じて通風路１５に吸い込んだ空気を吹出口１７まで送出し、該吹出口１７より収納室１４に吹き出すことにより、収納室１４と通風路１５との間で空気を循環させるものである。
【００２２】
蒸発器１９は、図示せぬ圧縮機、凝縮器及び膨張機構とともに冷媒を循環させる冷凍サイクルを構成している。圧縮機は、冷媒を圧縮するものであり、凝縮器は、圧縮機で圧縮された冷媒を凝縮させて放熱させるものである。膨張機構は、凝縮器で凝縮した冷媒を断熱膨張させて低温低圧の状態にさせるものである。
【００２３】
この蒸発器１９は、送風ファン１８が駆動することにより通風路１５を通過する空気と、膨張機構で低温低圧の状態にされた冷媒とを熱交換させるもの、より詳細には、低温低圧の冷媒を蒸発させることにより通風路１５を通過する空気を冷却する温度調整手段である。この蒸発器１９で蒸発した冷媒は、圧縮機に吸引されて冷凍サイクルを循環することになる。
【００２４】
これにより、上記ショーケースでは、圧縮機及び送風ファン１８が駆動すれば、蒸発器１９を通過した空気が通風路１５を通じて収納室１４に循環供給され、収納室１４が所望の冷蔵温度に維持されることになる。
【００２５】
収納室１４には、上下に沿って複数段（図示の例では６段）の商品載置棚２０が設けられている。商品載置棚２０は、背面板１２ａの左右両側部に設けられた図示せぬ棚支柱に取り付けられており、商品を載置して陳列させるものである。
【００２６】
中間ダクト３０は、全体として略平板状の形態を成している。この中間ダクト３０は、その構成は後述するが、上記背面板１２ａの装着領域Ａに設けられたいずれかの高さレベルの貫通孔４０を貫通して後端部が後側通風ダクト１５ｂの後面を構成する当接板４１に当接することにより、通風路１５（後側通風ダクト１５ｂ）を遮断して収納室１４に着脱可能に装着されるものである。当接板４１は、上下方向に沿って延在して後側通風ダクト１５ｂの後面を構成している。
【００２７】
ここで、背面板１２ａの装着領域Ａは、最上段の商品載置棚２０の下部から上から４段目の商品載置棚２０の下部に至る領域であり、最上段の商品載置棚２０の下部、上から２段目の商品載置棚２０の下部、上から３段目の商品載置棚２０の下部、上から４段目の商品載置棚２０の下部のそれぞれの高さレベルに貫通孔４０が形成されている。
【００２８】
また背面板１２ａの装着領域Ａにおいては、各貫通孔４０の下方に、前方に向けて突出する態様で複数の突出部４２が設けられている。突出部４２は、左右方向に沿って延在する水平延在部材であり、しかも高さレベルが低くなるほど前方への突出量が増大するものである。つまり、最も上方の突出部４２が、前方への突出量が最も小さく、最も下方の突出部４２が、前方への突出量が最も大きい。
【００２９】
上記中間ダクト３０は、図２に示すように、中間ダクト本体３１により構成されている。中間ダクト本体３１の内部には、風洞３２が設けられている。風洞３２は、前後方向に沿って延在するものである。この中間ダクト本体３１には、導入口３３及び吹出口部材３４が設けられている。
【００３０】
導入口３３は、中間ダクト本体３１の後端部の下面に形成されており、風洞３２に連通している。後側通風ダクト１５ｂを通過する空気を風洞３２に導入するための開口である。
【００３１】
吹出口部材３４は、中間ダクト本体３１の前端部にて、左右方向に沿って延在する軸部３５の中心軸回りに前後方向に揺動可能に配設されている。この吹出口部材３４は、風洞３２に連通する中間吹出口３４ａを構成するもので、図には明示しないが例えばハニカム構造の整流部材を有している。中間吹出口３４ａは、風洞３２を通過する空気を吹き出すための開口である。
【００３２】
中間ダクト本体３１の下部には、平板状の変位部３６が支持部材３７により前後方向に沿って変位可能に支持されて設けられている。変位部３６は、前端部分が吹出口部材３４に接している。
【００３３】
このような中間ダクト３０は、図３に示すように、任意の貫通孔４０を貫通して収納室１４に装着された場合、後端部が通風路１５（後側通風ダクト１５ｂ）を遮断する。この場合、変位部３６は、後端部分が該貫通孔４０の下方の突出部４２に当接して前方に変位し、前端部分が吹出口部材３４に摺接しながら該吹出口部材３４を前方に揺動させることで中間吹出口３４ａを前方に揺動させる。ここで中間吹出口３４ａの前方への揺動角度であるが、中間吹出口３４ａが吸込口１６を臨む角度とされている。つまり、突出部４２の前方への突出量は、中間吹出口３４ａが吸込口１６を臨む角度に揺動するように、それぞれの大きさが予め決められている。
【００３４】
そしてショーケースにおいては、圧縮機及び送風ファン１８が駆動することにより、吸込口１６を通じて通風路１５の下側通風ダクト１５ａに吸い込まれた空気を、該下側通風ダクト１５ａを通過させた後に、後側通風ダクト１５ｂを通過させる。
【００３５】
後側通風ダクト１５ｂを通過させた空気を蒸発器１９で冷却し、蒸発器１９で冷却した空気を導入口３３から風洞３２に導入し、該風洞３２を通過した空気を中間吹出口３４ａから吸込口１６に向けて吹き出させる。この中間吹出口３４ａから吹き出させた空気を、商品載置棚２０の前端域を通過させてから吸込口１６より通風路１５に吸い込ませることにより、収納室１４と通風路１５とで循環させることができる。これにより、収納室１４における中間ダクト３０の下方域の前面には、蒸発器１９で冷却された空気によるエアカーテンを形成することができる。
【００３６】
このようにして中間吹出口３４ａより吹き出される空気（冷気）により中間ダクト３０の下方域の前面にエアカーテンを形成するので、収納室１４における中間ダクト３０の下方域を、中間ダクト３０の上方域よりも冷却することができる。これにより、収納室１４における中間ダクト３０の上方域と下方域とを異なる温度帯にすることができ、収納室１４の商品を２つの異なる温度に保持することができる。
【００３７】
ところで、中間ダクト３０を、図３に示した貫通孔４０よりも下方の貫通孔４０を貫通させて収納室１４に装着した場合、図４に示すように、変位部３６は、後端部分が該貫通孔４０の下方の突出部４２に当接して更に前方に変位し、前端部分が吹出口部材３４に摺接しながら該吹出口部材３４を更に前方に揺動させることで中間吹出口３４ａを前方に揺動させる。
【００３８】
これにより、蒸発器１９で冷却された空気を導入口３３から風洞３２に導入し、該風洞３２を通過した空気を中間吹出口３４ａから吸込口１６に向けて吹き出させることができ、中間ダクト３０の下方域の前面にエアカーテンを良好に形成することができる。
【００３９】
以上説明したように、本発明の実施の形態であるショーケースにおいては、突出部４２及び変位部３６が、中間ダクト３０が装着される高さレベルが低くなるほど、吹出口部材３４を前方に向けて揺動させる吹出角度調整手段を構成している。
【００４０】
そして、本発明の実施の形態であるショーケースによれば、中間ダクト３０が、中間吹出口３４ａを構成する吹出口部材３４が左右方向に沿って延在する軸部３５の軸心回りに前後方向に沿って揺動可能に設けられており、中間ダクト３０が装着される高さレベルが低くなるほど、吹出口部材３４を前方に向けて揺動させるので、中間吹出口３４ａを前方に向けて揺動させることができ、中間吹出口３４ａから吸込口１６に向けて空気を吹き出させることができる。これにより、中間ダクト３０の装着位置に関わらず、良好なエアカーテンを形成することができる。
【００４１】
このように良好なエアカーテンを形成することができるので、中間ダクト３０の下方域における外気侵入量を低減させることができ、冷却性能の向上を図ることができるとともに、エネルギーロスを低減化させて省エネルギー化を図ることができる。
【００４２】
以上、本発明の好適な実施の形態について説明したが、本発明はこれに限定されるものではなく、種々の変更を行うことができる。
【００４３】
上述した実施の形態では、突出部４２は、左右方向に沿って延在する水平延在部材として説明したが、本発明においては、突出部はロッド状の形状を成しており、左右方向に沿って所定間隔毎に設けられるものであってもよい。
【００４４】
上述した実施の形態では、突出部４２及び変位部３６で吹出角度調整手段を構成していたが、本発明においては、吹出角度調整手段としては種々の形態を採用することができる。すなわち、吹出口部材を前後方向に揺動させる駆動源としてもモータを備え、中間ダクトの装着高さレベルに応じて該モータの駆動時間を変更することで中間吹出口の角度を調整するようにしてもよい。
【００４５】
上述した実施の形態では特に言及していないが、吹出口部材３４は、自重により下方に向けて揺動した姿勢が初期状態とされてもよいし、あるいは軸部３５に取り付けられたバネ等の付勢手段により付勢されることで下方に向けて揺動した姿勢が初期状態とされてもよい。また変位部３６についても、自身と支持部材３７との間に介在する態様で取り付けられたバネ等の付勢手段により付勢されることで後方に向けて変位した姿勢が初期状態とされてもよい。このように変位部３６が初期状態にある場合、前端部分が吹出口部材３４から離隔していてもよい。
【符号の説明】
【００４６】
１０…ケース本体、１２ａ…背面板、１４…収納室、１５…通風路、１５ａ…下側通風ダクト、１５ｂ…後側通風ダクト、１５ｃ…上側通風ダクト、１６…吸込口、１７…吹出口、１８…送風ファン、１９…蒸発器、２０…商品載置棚、３０…中間ダクト、３１…中間ダクト本体、３２…風洞、３３…導入口、３４…吹出口部材、３４ａ…中間吹出口、３５…軸部、３６…変位部、３７…支持部材、４０…貫通孔、４１…当接板、４２…突出部、Ａ…装着領域。
【図１】
2020151042.tif 000003
【図２】
2020151042.tif 000004
【図３】
2020151042.tif 000005
【図４】
2020151042.tif 000006